(57)【特許請求の範囲】
【請求項１】
ユーザによって入力された、画像情報または文書情報に付加するコメントの内容に基づいて、予め設定された複数の種類の中から当該コメントの種類を選択する選択手段と、
前記選択手段により選択されたコメントの種類に対応した絵柄図形を生成する生成手段と、
前記生成手段により生成された絵柄図形を、前記画像情報または文書情報の指定された位置に付加する付加手段と、を備え、
前記選択手段は、ユーザによって入力された、生成された絵柄図形に対して追加するコメントのうちの最新のコメントの内容に基づいて、予め設定された複数の種類の中から当該コメントの種類を再選択し、
前記付加手段は、前記選択手段により再選択されたコメント種類に対応する絵柄図形を画像情報または文書情報中に付加する、
情報処理装置。
【請求項２】
コメントの種類を特定するための単語が、当該コメントの種類毎に格納された格納手段をさらに備え、
前記選択手段は、ユーザによって入力されたコメントに、前記格納手段に格納されている単語が含まれるか否かに基づいて、当該コメントの種類を選択する請求項１記載の情報処理装置。
【請求項３】
前記選択手段は、ユーザによって入力されたコメントに対して自然言語解析を実行することにより、当該コメントの意味内容を解析して、当該コメントの種類を選択する請求項１記載の情報処理装置。
【請求項４】
前記生成手段は、入力されたコメントの文字数に基づいて、生成された絵柄図形の大きさを変化させる請求項１から３のいずれか１項記載の情報処理装置。
【請求項５】
前記生成手段は、ユーザによって入力されたコメントの重要度に基づいて、生成された絵柄図形の大きさを変化させる請求項１から３のいずれか１項記載の情報処理装置。
【請求項６】
絵柄図形が付加された画像情報または文書情報を表示し、表示された画像情報または文書情報中の絵柄図形が選択された場合、当該絵柄図形に対して設定されているコメント内容を表示するよう表示部を制御する表示制御手段をさらに備えた請求項１から５のいずれか１項記載の情報処理装置。
【請求項７】
前記表示制御手段は、絵柄図形に対して設定されているコメントが未表示である場合、当該絵柄図形を未表示であることがわかるような表示態様で表示するよう表示部を制御する請求項６記載の情報処理装置。
【請求項８】
前記付加手段は、ユーザによって入力された、生成された絵柄図形に対して設定されているコメントに返信する返信コメントが追加された絵柄図形を画像情報または文書情報中に付加する請求項１から７のいずれか１項記載の情報処理装置。
【請求項９】
前記付加手段は、絵柄図形に対して設定されているコメントの数に関する情報を当該絵柄図形とともに画像情報または文書情報中に付加する請求項１または８記載の情報処理装置。
【請求項１０】
前記付加手段は、ユーザによって入力されたデータが添付されたコメントが設定された絵柄図形を画像情報または文書情報中に付加する請求項１から９のいずれか１項記載の情報処理装置。
【請求項１１】
コメントの種類に対応して予め設定された複数種類の絵柄図形が、色彩または形状の異なる複数種類の絵柄図形である請求項１から１０のいずれか１項記載の情報処理装置。
【請求項１２】
前記付加手段は、前記生成手段により生成された絵柄図形を、前記選択手段により選択されたコメントの種類を示す文字情報とともに画像情報または文書情報中に付加する請求項１から１１のいずれか１項記載の情報処理装置。
【請求項１３】
ユーザによって入力された、画像に付加するコメントの内容に基づいて、予め設定された複数の種類の中から当該コメントの種類を選択するステップと、
選択されたコメントの種類に対応した絵柄図形を生成するステップと、
生成された絵柄図形を、前記画像の指定された位置に付加するステップとをコンピュータに実行させる際に、
前記選択ステップでは、ユーザによって入力された、生成された絵柄図形に対して追加するコメントのうちの最新のコメントの内容に基づいて、予め設定された複数の種類の中から当該コメントの種類を再選択し、
前記付加ステップでは、前記選択ステップにおいて再選択されたコメント種類に対応する絵柄図形を画像情報または文書情報中に付加する、
プログラム。
【発明の詳細な説明】
【技術分野】
【０００１】
本発明は、情報処理装置およびプログラムに関する。
【背景技術】
【０００２】
特許文献１には、コメントを付加する箇所をマウスにして指定して、ユーザがリストの中から選択したアイコンを指定された箇所に付加するようにした共同作業支援システムが開示されている。
【０００３】
特許文献２には、ユーザの行動情報とその行動の頻度情報を入力してアイコンの種類を選択すると、入力した情報が短縮された文字情報と選択されたアイコンを重ね合わせたアイコンを生成することができる情報処理システムが開示されている。
【先行技術文献】
【特許文献】
【０００４】
【特許文献１】特開平０８−２９７５５４号公報
【特許文献２】特開２０１４−１０６５６０号公報
【発明の概要】
【発明が解決しようとする課題】
【０００５】
デザイン画像のような各種画像を制作する過程において、作成途中の画像を複数ユーザ間でやりとりして確認しながら修正したり変更したりする場合がある。このような場合には、作成途中の画像データを別のユーザに送付して、その画像データを受け取ったユーザが画像データ中にコメントが記載された付箋を貼り付けたり、コメントを直接書き込んだりして作成者に戻したり、他のユーザに転送するようなことが行われていた。
【０００６】
しかし、このような方法を用いた場合には、貼り付ける付箋の数や書き込むコメントの数が多くなるとどのコメントがどのような内容についてのものなのかが把握し難くなってしまう。そのため、コメントの内容毎に付箋の色を変更したり、コメントとして書き込む文字の色を変更するようなことも行われていた。
【０００７】
しかし、コメント作成者ごとにコメントの種類を選択するようにした場合には、コメント作成者毎に選択するコメントの種類が変わってしまうという問題がある。そのため、どの色の付箋がどのようなコメントなのか、またどの色の文字のコメントがどのような内容のコメントなのかを容易に把握することができ難くなる。特に、付加される付箋の数や書き込まれるコメントの数が多くなると、コメント付の画像データを受け取ったユーザはコメントの種類を容易に把握できなくなるという問題がある。
【０００８】
本発明の目的は、画像情報または文書情報にコメントを付加する際に、コメント内容に基づくコメントの種類分けを統一することが可能な情報処理装置およびプログラムを提供することである。
【課題を解決するための手段】
【０００９】
［情報処理装置］
請求項１に係る本発明は、ユーザによって入力された、画像情報または文書情報に付加するコメントの内容に基づいて、予め設定された複数の種類の中から当該コメントの種類を選択する選択手段と、
前記選択手段により選択されたコメントの種類に対応した絵柄図形を生成する生成手段と、
前記生成手段により生成された絵柄図形を、前記画像情報または文書情報の指定された位置に付加する付加手段と、を備え、
前記選択手段は、ユーザによって入力された、生成された絵柄図形に対して追加するコメントのうちの最新のコメントの内容に基づいて、予め設定された複数の種類の中から当該コメントの種類を再選択し、
前記付加手段は、前記選択手段により再選択されたコメント種類に対応する絵柄図形を画像情報または文書情報中に付加する、
情報処理装置である。
【００１０】
請求項２に係る本発明は、コメントの種類を特定するための単語が、当該コメントの種類毎に格納された格納手段をさらに備え、
前記選択手段は、ユーザによって入力されたコメントに、前記格納手段に格納されている単語が含まれるか否かに基づいて、当該コメントの種類を選択する請求項１記載の情報処理装置である。
【００１１】
請求項３に係る本発明は、前記選択手段が、ユーザによって入力されたコメントに対して自然言語解析を実行することにより、当該コメントの意味内容を解析して、当該コメントの種類を選択する請求項１記載の情報処理装置である。
【００１２】
請求項４に係る本発明は、前記生成手段が、入力されたコメントの文字数に基づいて、生成された絵柄図形の大きさを変化させる請求項１から３のいずれか１項記載の情報処理装置である。
【００１３】
請求項５に係る本発明は、前記生成手段が、ユーザによって入力されたコメントの重要度に基づいて、生成された絵柄図形の大きさを変化させる請求項１から３のいずれか１項記載の情報処理装置である。
【００１４】
請求項６に係る本発明は、絵柄図形が付加された画像情報または文書情報を表示し、表示された画像情報または文書情報中の絵柄図形が選択された場合、当該絵柄図形に対して設定されているコメント内容を表示するよう表示部を制御する表示制御手段をさらに備えた請求項１から５のいずれか１項記載の情報処理装置である。
【００１５】
請求項７に係る本発明は、前記表示制御手段が、絵柄図形に対して設定されているコメントが未表示である場合、当該絵柄図形を未表示であることがわかるような表示態様で表示するよう表示部を制御する請求項６記載の情報処理装置である。
【００１６】
請求項８に係る本発明は、前記付加手段が、ユーザによって入力された、生成された絵柄図形に対して設定されているコメントに返信する返信コメントが追加された絵柄図形を画像情報または文書情報中に付加する請求項１から７のいずれか１項記載の情報処理装置である。
【００１８】
請求項９に係る本発明は、前記付加手段が、絵柄図形に対して設定されているコメントの数に関する情報を当該絵柄図形とともに画像情報または文書情報中に付加する請求項１または８記載の情報処理装置である。
【００１９】
請求項１０に係る本発明は、前記付加手段が、ユーザによって入力されたデータが添付されたコメントが設定された絵柄図形を画像情報または文書情報中に付加する請求項１から９のいずれか１項記載の情報処理装置である。
【００２０】
請求項１１に係る本発明は、コメントの種類に対応して予め設定された複数種類の絵柄図形が、色彩または形状の異なる複数種類の絵柄図形である請求項１から１０のいずれか１項記載の情報処理装置である。
【００２１】
請求項１２に係る本発明は、前記付加手段が、前記生成手段により生成された絵柄図形を、前記選択手段により選択されたコメントの種類を示す文字情報とともに画像情報または文書情報中に付加する請求項１から１１のいずれか１項記載の情報処理装置である。
【００２２】
[プログラム]
請求項１３に係る本発明は、ユーザによって入力された、画像に付加するコメントの内容に基づいて、予め設定された複数の種類の中から当該コメントの種類を選択するステップと、
選択されたコメントの種類に対応した絵柄図形を生成するステップと、
生成された絵柄図形を、前記画像の指定された位置に付加するステップとをコンピュータに実行させる際に、
前記選択ステップでは、ユーザによって入力された、生成された絵柄図形に対して追加するコメントのうちの最新のコメントの内容に基づいて、予め設定された複数の種類の中から当該コメントの種類を再選択し、
前記付加ステップでは、前記選択ステップにおいて再選択されたコメント種類に対応する絵柄図形を画像情報または文書情報中に付加する、
プログラムである。
【発明の効果】
【００２３】
請求項１に係る本発明によれば、画像情報または文書情報にコメントを付加する際に、コメント内容に基づくコメントの種類分けを統一することが可能な情報処理装置を提供することができる。
また、請求項１に係る本発明によれば、画像情報または文書情報中に付加された絵柄図形に対して設定されているコメントに対してコメントが追加された場合に、生成された絵柄図形を追加されたコメントに対応する絵柄図形に変更することが可能になる。
【００２４】
請求項２に係る本発明によれば、画像情報または文書情報にコメントを付加する際に、コメント内容に基づくコメントの種類分けを統一することが可能な情報処理装置を提供することができる。
【００２５】
請求項３に係る本発明によれば、画像情報または文書情報にコメントを付加する際に、コメント内容に基づくコメントの種類分けを統一することが可能な情報処理装置を提供することができる。
【００２６】
請求項４に係る本発明によれば、請求項１から３のいずれか１項に係る本発明により得られる効果に加えて、画像情報または文書情報中に付加された絵柄図形の大きさによりコメントの文字数の量を把握することが可能になる。
【００２７】
請求項５に係る本発明によれば、請求項１から３のいずれか１項に係る本発明により得られる効果に加えて、画像情報または文書情報中に付加された絵柄図形の大きさによりコメントの重要度を把握することが可能になる。
【００２８】
請求項６に係る本発明によれば、請求項１から５のいずれか１項に係る本発明により得られる効果に加えて、画像情報または文書情報中に付加された絵柄図形を選択することにより、その絵柄図形に対して設定されているコメント内容を表示させることが可能になる。
【００２９】
請求項７に係る本発明によれば、請求項６に係る本発明により得られる効果に加えて、コメント内容が未読の絵柄図形を他の絵柄図形と区別することが可能になる。
【００３０】
請求項８に係る本発明によれば、請求項１から７のいずれか１項に係る本発明により得られる効果に加えて、画像情報または文書情報中に付加された絵柄図形に対して設定されているコメントに対して返信コメントを追加することが可能になる。
【００３２】
請求項９に係る本発明によれば、請求項１または８に係る本発明により得られる効果に加えて、画像情報または文書情報中に付加された絵柄図形に対して設定されているコメントのK図を把握することが可能になる。
【００３３】
請求項１０に係る本発明によれば、請求項１から９のいずれか１項に係る本発明により得られる効果に加えて、画像情報または文書情報中に付加された絵柄図形に対してデータを添付することが可能になる。
【００３４】
請求項１１に係る本発明によれば、請求項１から１０のいずれか１項に係る本発明により得られる効果に加えて、絵柄図形の色彩または形状によりコメントの種類を把握することが可能になる。
【００３５】
請求項１２に係る本発明によれば、請求項１から１１のいずれか１項に係る本発明により得られる効果に加えて、絵柄図形に付加された文字情報によりコメントの種類を把握することが可能になる。
【００３６】
請求項１３に係る本発明によれば、画像情報または文書情報にコメントを付加する際に、コメント内容に基づくコメントの種類分けを統一することが可能なプログラムを提供することができる。
また、請求項１３に係る本発明によれば、画像情報または文書情報中に付加された絵柄図形に対して設定されているコメントに対してコメントが追加された場合に、生成された絵柄図形を追加されたコメントに対応する絵柄図形に変更することが可能になる。
【図面の簡単な説明】
【００３７】
【図１】本発明の一実施形態の情報処理システムのシステム構成を示す図である。
【図２】本発明の一実施形態における情報処理装置１０のハードウェア構成を示すブロック図である。
【図３】本発明の一実施形態における情報処理装置１０の機能構成を示すブロック図である。
【図４】キーワード格納部３２に格納されているキーワードの一例を説明するための図である。
【図５】色彩が異なる複数種類のアイコンをコメントの種類に対応させた場合の一例を示す図である。
【図６】形状が異なる複数種類のアイコンをコメントの種類に対応させた場合の一例を示す図である。
【図７】コメントの重要度に基づいて生成するアイコンの大きさを変化させる場合の一例を示す図である。
【図８】本発明の一実施形態における情報処理装置１０においてコメントを入力する際の動作を説明するためのフローチャートである。
【図９】コメントを付加しようとするデザイン画像の一例を示す図である。
【図１０】図９に示したデザイン画像においてコメントを付加したい領域を指定する様子を説明するための図である。
【図１１】コメントを付加したい領域の指定が完了後に、コメント入力枠８０が表示されコメントの入力が行われる様子を説明するための図である。
【図１２】生成されたアイコン１００が、デザイン画像中の指定された位置に付加された様子を示す図である。
【図１３】アイコンが付加された画像データを表示させて、アイコンを選択した場合の表示例を示す図である。
【図１４】アイコンを選択してコメント内容を表示させた際に、コメント対象領域がデザイン画像の全領域の場合の表示例を示す図である。
【図１５】入力されたコメント内に２つのコメント種類に対応したキーワードが含まれる場合に、アイコンの種類が選択される様子を説明するための図である。
【図１６】入力されたコメント内にコメント種類に対応したキーワードが含まれない場合に、アイコンの種類が選択される様子を説明するための図である。
【図１７】コメントに添付ファイルを追加する場合の動作について説明するための図である。
【図１８】表示させたコメントに対して返信コメントを追加した場合の表示例を示す図である。
【図１９】返信コメントが追加された場合にさらにコメントを追加した場合の表示例を示す図である。
【図２０】複数のアイコンが１つのデザイン画像中に追加された場合の表示画面例を示す図である。
【発明を実施するための形態】
【００３８】
次に、本発明の実施の形態について図面を参照して詳細に説明する。
【００３９】
図１は本発明の一実施形態の情報処理システムの構成を示すシステム図である。
【００４０】
本発明の一実施形態の情報処理システムは、図１に示されるように、ネットワーク２０により相互に接続されたパーソナルコンピュータ等の複数の情報処理装置１０により構成される。複数の情報処理装置１０には、それぞれ同じ画像管理ソフトウェアがインストールされており、画像データ（画像情報）をお互いに送受信してやりとりすることができるようになっている。
【００４１】
なお、本実施形態では、グラフィック画像や写真画像等の画像データにコメントを付加する場合について説明を行うが、文書データ（文書情報）に対してコメントを付加する場合でも本発明は適用可能である。
【００４２】
次に、本実施形態の情報処理システムにおける情報処理装置１０のハードウェア構成を図２に示す。
【００４３】
情報処理装置１０は、図２に示されるように、ＣＰＵ１１、メモリ１２、ハードディスクドライブ（ＨＤＤ）等の記憶装置１３、タッチパネル又は液晶ディスプレイ並びにキーボードを含むユーザインタフェース（ＵＩ）装置１４、ネットワーク３０を介して端末装置２０Ａ〜２０Ｃ等との間でデータの送信及び受信を行う通信インタフェース（ＩＦ）１５を有する。これらの構成要素は、制御バス１６を介して互いに接続されている。
【００４４】
ＣＰＵ１１は、メモリ１２または記憶装置１３に格納された制御プログラムに基づいて所定の処理を実行して、情報処理装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００４５】
図３は、上記の制御プログラムが実行されることにより実現される情報処理装置１０の機能構成を示すブロック図である。
【００４６】
本実施形態の情報処理装置１０は、図３に示されるように、入力部３１と、キーワード格納部３２と、コメント種類選択部３３と、アイコン生成部３４と、アイコン付加部３５と、制御部３６と、通信部３７と、表示部３８とを備えている。
【００４７】
入力部３１は、画像データに付加しようとするコメントをキーボード等のユーザインタフェース装置を介して入力する。
【００４８】
キーワード格納部３２は、コメントの種類を特定するためのキーワード（単語）が、コメントの種類毎に格納されている。このキーワード格納部３２に格納されているキーワードの一例を図４を参照して説明する。
【００４９】
本実施形態においてはコメントを付加しようとする画像データが、広告用ポスターのようなデザイン画像である場合を用いて説明するため、図４に示した例では、コメントの種類として「材質感」、「色」、「ＣＵＤ（color universal design）」、「文字」、「柄」、「イラスト」、・・・等の種類が設定されている。
【００５０】
この「材質感」というコメントの種類は、そのコメントがデザイン画像の材質感に関するコメントであることを示している。また、「色」、「ＣＵＤ」、「文字」、「柄」、「イラスト」というコメント種類についても、それぞれ、そのコメントがデザイン画像の色、ＣＵＤ、文字、柄、イラストに関するコメントであることを示している。
【００５１】
そして、図４に示した例では、「材質感」というコメント種類については、「質感」、「材質」、「素材」、「手触り」、「光沢」、「白色度」、「紙」という単語がキーワードとして登録されている。また、同様に「色」というコメント種類については、「配色」、「カラー」、「色合い」、「色相」、「色彩」という単語がキーワードとして登録され、「ＣＵＤ」というコメント種類については、「カラーユニバーサルデザイン」、「色盲」、「色弱」という単語がキーワードとして登録されている。
【００５２】
コメント種類選択部３３は、入力部３１により入力されたコメントの内容に基づいて、予め設定された複数の種類の中からこのコメントの種類を選択する。具体的には、コメント種類選択部３３は、入力部３１により入力されたコメントに、キーワード格納部３２に格納されている単語が含まれるか否かに基づいて、このコメントの種類を選択する。
【００５３】
例えば、コメント種類選択部３３は、入力部３１により入力されたコメントに「光沢」という単語が含まれている場合には、「材質感」というコメント種類を選択する。
【００５４】
アイコン生成部３４は、コメント種類選択部３３により選択されたコメントの種類に対応したアイコン（絵柄図形）を生成する。
【００５５】
コメントの種類に対応したアイコンの一例を図５、図６に示す。
【００５６】
図５は、色彩が異なる複数種類のアイコンをコメントの種類に対応させた場合の一例を示す図である。図５に示すアイコンの一例では、形状が同一のアイコンに対して色彩が異なるようした複数種類のアイコンがコメントの種類に対応して設けられている。なお、図５では、色彩の違いを塗りつぶしパターンの違いにより表現しており、以下の説明でも同様に色彩の違いを表現する。
【００５７】
例えば、図５の例では、「材質感」というコメントの種類に対しては、青色のアイコンが対応して設けられている。また、「色」というコメントの種類に対しては、赤色のアイコンが対応して設けられている。
【００５８】
なお、コメントの種類に対応して予め設定された複数種類のアイコンとしては、色彩が異なる複数種類のアイコンだけでなく、形状の異なる複数種類のアイコンを用いることもできる。さらに、色彩と形状の組み合わせにより複数種類のアイコンを設定して、コメントの種類に対応させることも可能である。
【００５９】
例えば、形状が異なる複数種類のアイコンをコメントの種類に対応させた場合の一例を図６に示す。図６に示した例は、色彩は同一で形状が異なる複数種類のアイコンの例であり、それぞれの形状がコメントの種類に対応するようになっている。
【００６０】
なお、以下の説明では、コメントの種類に対して図５に示すような色彩の異なるアイコンが設定されている場合について説明する。
【００６１】
なお、アイコン生成部３４は、入力されたコメントの文字数に基づいて、生成されたアイコンの大きさを変化させるようにしても良い。
【００６２】
さらに、入力部３１により画像データ中に付加しようとするコメントの入力の際に、そのコメントの重要度を入力するようにして、アイコン生成部３４は、入力されたコメントの重要度に基づいて、生成されたアイコンの大きさを変化させるようにしても良い。
【００６３】
例えば、入力部３１は、コメントの入力の際に、ユーザに対してコメントの重要度を「最重要」、「重要」、「普通」の中から選択してもらう。そして、図７に示すように、アイコン生成部３４は、コメントの入力の際にそのコメントの重要度が「最重要」と入力された場合には大きなアイコンを生成するようにし、コメントの重要度が「重要」と入力された場合には中程度の大きさのアイコンを生成し、コメントの重要度が「普通」と入力された場合には小さいアイコンを生成する。
【００６４】
アイコン付加部３５は、アイコン生成部３４により生成されたアイコンを、画像データの指定された位置に付加する。その際に、アイコン付加部３５は、アイコン生成部３４により生成されたアイコンを、コメント種類選択部３３により選択されたコメントの種類を示す文字情報とともに画像データ中に付加する。
【００６５】
具体的には、アイコン付加部３５は、コメント種類選択部３３により「柄」というコメントの種類が選択された場合、アイコン生成部３４により生成されたアイコンを、「柄」という文字情報とともに画像データ中の指定された位置に付加する。
【００６６】
通信部３７は、ネットワーク２０を介して他の情報処理装置１０との間で通信を行い、自装置で生成されアイコンが付加された画像データを他の情報処理装置１０に送信したり、他の情報処理装置１０から送信されてきたアイコンが付加された画像データを受信する。
【００６７】
制御部３６は、アイコンが付加された画像データを表示し、表示された画像データ中のアイコンが選択された場合、そのアイコンに対して設定されているコメント内容を表示するよう表示部３８を制御する。
【００６８】
また、制御部３６は、アイコンに対して設定されているコメントが未表示である場合、そのアイコンを未表示であることがわかるような表示態様、例えばアイコンを点滅させる等の表示態様で表示するよう表示部３８を制御する。
【００６９】
また、入力部３１は、生成されたアイコンに対して設定されているコメントに返信する返信コメントを入力するようにしても良い。この場合には、アイコン付加部３５は、入力部３１により入力された返信コメントを生成されたアイコンに対して追加し、返信コメントが追加されたアイコンを画像データ中に付加する。
【００７０】
また、入力部３１は、生成されたアイコンに対して追加するコメントを入力するようにしても良い。この場合には、コメント種類選択部３３は、入力部３１により入力された最新のコメントの内容に基づいて、予め設定された複数の種類の中からそのコメントの種類を再選択する。そして、アイコン付加部３５は、コメント種類選択部３３により再選択されたコメント種類に対応するアイコンを画像データ中に付加する。
【００７１】
例えば、最初に入力されたコメントの種類が「イラスト」で、次に入力されたコメントの種類が「柄」であった場合、最初にコメントが入力された時点では、「イラスト」に対応したアイコンが生成され、次のコメントが入力された時点では、そのアイコンは「柄」に対応したアイコンに変更される。
【００７２】
また、アイコン付加部３５は、アイコンに対して設定されているコメントの数に関する情報をそのアイコンとともに画像データ中に付加するようにしても良い。
【００７３】
ここで、アイコンに対して設定されているコメントとは、上記で説明した返信コメントや後から追加されたコメントも含まれる。そのため、最初に入力されたコメントに対して、返信コメントが追加され、さらに次のコメントが追加され、さらに返信コメントが追加されたような場合には、そのアイコンに対して設定されているコメントの数は４にある。そのため、このような場合には、アイコン付加部３５は、「４」という数字をアイコンとともに画像データに付加する。
【００７４】
さらに入力部３１は、入力したコメントに対して添付するデータを入力するようにしても良い。この場合には、アイコン付加部３５は、入力部３１により入力されたデータが添付されたコメントが設定されたアイコンを画像データ中に付加する。
【００７５】
次に、本実施形態の情報処理装置１０における動作を図面を参照して詳細に説明する。
【００７６】
先ず、本実施形態における情報処理装置１０においてコメントを入力する際の動作を図８のフローチャートを参照して説明する。
【００７７】
以下の説明では図９に示すようなデザイン画像に対してコメントを付加する場合を用いて説明する。
【００７８】
まず、入力部３１は、デザイン画像が表示部３８に表示された状態において、コメントを入力する領域の指定を受付ける（ステップＳ１０１）。例えば、図１０に示す例では、図９に示したデザイン画像における三角形の図形が描かれた領域がコメントを付加したい領域として指定されている。
【００７９】
そして、コメントを付加したい領域が決定されると、入力部３１は、付加するコメントの内容を入力する（ステップＳ１０２）。例えば、図１１に示す例では、コメントを付加したい領域の指定が完了すると、コメント入力枠８０が表示されコメントの入力が促されている。その際に、コメントの入力がし易くなるように、コメント入力枠８０が表示されている間は、デザイン画像は縮小表示されてコメント入力枠８０とは反対側に移動されて表示される。
【００８０】
そして、コメント入力枠８０では、ユーザがコメントを入力すると、そのコメントの重要度を選択するようになっている。図１１に示す例では、「質感にもう少し高級感が欲しいです。」というコメントが入力され、重要度としては「重要」が選択されている。
【００８１】
そして、この図１１に示したコメント入力枠８０によりコメント内容とともに重要度が入力され、ＯＫボタンが操作させるとコメントの入力が終了する。
【００８２】
すると、コメント種類選択部３３では、入力されたコメント内容に基づいてコメントの種類が判定される（ステップＳ１０３）。ここでは、「質感」というキーワードが入力されたコメント内に存在するため、コメント種類選択部３３は、このコメントの種類は「材質感」であると判定する。
【００８３】
そして、アイコン生成部３４は、入力部３１により入力されたコメントの重要度に基づいて生成するアイコンの大きさを決定する（ステップＳ１０４）。ここでは、アイコンの重要度として「重要」が入力されているため、アイコン生成部３４は、生成するアイコンを中程度の大きさのアイコンであると決定する。
【００８４】
そして、アイコン生成部３４は、コメント種類選択部３３により選択されたコメント種類と、決定したアイコンの大きさに基づいて、付加するアイコンを生成する（ステップＳ１０５）。
【００８５】
そして、アイコン生成部３４により生成されたアイコンは、例えば図１２に示されるように、アイコン付加部３５により画像データの指定された位置に付加される（ステップＳ１０６）。
【００８６】
図１２は、このようにしてアイコンが付加された場合の一例を示す図であり、デザイン画像中に「材質感」という文字が表示されたアイコン１００が、アイコンを付加するよう指定された三角形の図形上に付加されているのがわかる。
【００８７】
次に、このようにしてアイコンが付加されたデザイン画像の画像データを受け取った他のユーザが、デザイン画像を表示部３８に表示させて、コメントの内容を見るためにアイコン１００を選択した場合の画面例を図１３に示す。
【００８８】
アイコンが付加されたデザイン画像の画像データを受け取った他の情報処理装置１０では、制御部３６は、アイコンが付加された画像データを表示部３８に表示する。そして、この画像を見たユーザがアイコン１００に設定されているコメント内容を見ようとして、アイコン１００をダブルクリック等の操作を行った場合、図１３に示すように、コメント表示枠９０が表示されて、そのアイコン１００に対して設定されているコメント内容が表示される。
【００８９】
そして、コメント内容が表示されるとともに、そのコメントが付加された領域が斜線等により表示されて、コメント内容がどの領域に対してのものなのかが分かるようになっている。なお、表示されたコメント表示枠９０には、そのコメントの入力日時やコメント入力者の情報が表示されている。そして、このコメント表示枠９０の右上にある横長の棒状のアイコンをクリックすることにより、コメント表示枠９０が閉じされて元の状態に戻るようになっている。
【００９０】
なお、コメントを付加する領域としては、デザイン画像の一部を指定するだけでなく、デザイン画像全体を選択することも可能である。この場合には、コメントを入力する際にデザイン画像の一部をクリックすることによりデザイン画像全体を選択することができるようにする。
【００９１】
そして、デザイン画像全体を選択してコメントを入力してアイコンを付加した場合には、このアイコンが選択されると、図１４に示すように、コメント内容の表示とともにデザイン画像全体に斜線等が設けられる。そのため、このコメントを見たユーザは、コメント対象領域がデザイン画像全体であることを知ることができる。
【００９２】
なお、コメント種類選択部３３が、入力されたコメントに基づいて、コメントの種類を判定する際に、入力されたコメント内に複数のコメント種類に対応したキーワードが含まれている場合には、コメント内の最初に記載されているキーワードに基づいてコメントの種類を判定するようにしても良い。
【００９３】
また、入力されたコメント内に複数のコメント種類に対応したキーワードが含まれている場合には、含まれているキーワードに対応したコメント種類をユーザに提示して、ユーザが提示されたコメントの種類の中からそのコメントの種類を選択するようにしても良い。
【００９４】
例えば、図１５(Ａ)に示すように、ユーザにより「この部分のイラストの配色がイメージに合いません。」というコメントが入力された場合を用いて説明する。入力されたこのコメントにはコメントの種類「イラスト」に対応した「イラスト」という単語と、コメントの種類「色」に対応した「配色」という単語が含まれている。
【００９５】
そのため、コメント種類選択部３３は、「イラスト」と「色」という２つのコメントの種類を選択して、図１５（Ｂ）に示すような表示画面によりユーザに提示する。そして、例えばユーザが、提示された２つのコメント種類のうち「イラスト」を選択して、「イラスト」のアイコンに対応したチェックボックスを選択したものとする。
【００９６】
すると、図１５（Ｃ）に示すように、デザイン画像の指定された位置に、コメント種類「イラスト」に対応したアイコンが生成されて付加される。
【００９７】
また、逆に入力されたコメント内にコメント種類に対応したいずれのキーワードも含まれていない場合には、コメント種類選択部３３は、コメントの種類として「その他」を選択する。
【００９８】
例えば、図１６（Ａ）に示すように、ユーザにより「このスペースのバランスが悪いです。」というというコメントが入力された場合を用いて説明する。入力されたこのコメントにはコメント種類に対応したいずれのキーワードも含まれていない。
【００９９】
そのため、コメント種類選択部３３は、コメント種類として「その他」を選択する。そのため、図１６（Ｂ）に示すように、デザイン画像の指定された位置に、コメント種類「その他」に対応したアイコンが生成されて付加される。
【０１００】
なお、本実施形態では、コメントにデザイン画像の修正案等のファイルデータを添付することが可能となっている。そのため、図１７を参照して、コメントに添付ファイルを追加する場合の動作について説明する。
【０１０１】
図１７に示すように、コメント表示枠９０には、十字形状の追加選択アイコン９１が表示されている。添付ファイルをコメントに追加したいユーザは、この追加選択アイコン９１を選択して添付するファイルデータを指定する。
【０１０２】
すると、コメントに添付ファイルが追加されて、図１７に示すように添付ファイルが追加されていることを示す添付ファイルアイコン９２がコメント表示枠９０内に表示される。なお、添付ファイルの追加はコメントの入力と同時に行うことも可能である。
【０１０３】
そして、この添付ファイルの内容を確認したい場合には、この添付ファイルアイコン９２をクリックする等して選択することによりファイル内容を表示させたり、ファイルをコピーして自装置内に格納するような操作が可能となっている。
【０１０４】
また、本実施形態の情報処理装置１０では、表示させたコメントに対して返信コメントを追加することや一度入力したコメントに対して、さらに別のコメントを追加することも可能となっている。
【０１０５】
表示させたコメントに対して返信コメントを追加した場合の表示例を図１８に示し、返信コメントが追加された場合にさらにコメントを追加した場合の表示例を図１９に示す。
【０１０６】
図１８に示した表示例では、確認者が入力したコメント中のコメント返信アイコン９３を制作者が操作して、返信コメントを追加した場合の表示画面例が示されている。この図１８では、製作者が入力した「高級感を出すために光沢感を増してみました。」という返信コメントがコメント表示枠９４に表示されているのが分かる。
【０１０７】
また、図１９に示した表示例では、このコメント表示枠９４内のコメント返信アイコン９５を確認者が操作して、製作者が入力した返信コメントに対してさらにコメントを返信した場合の表示画面例が示されている。この図１９では、確認者が入力した「修正版を確認しました。希望通りの高級感になっています。」という返信コメントがコメント表示枠９６に表示されているのが分かる。
【０１０８】
このように本実施形態の情報処理装置１０では、１つのアイコンに対して複数のコメントが入力された場合には、そのコメント内容を対話形式で時系列にそって簡単に可視化することができる。そのため、コメント内容を表示させた場合でも、どのような経緯でやりとりが行われたかを把握することが容易になる。
【０１０９】
このように本実施形態の情報処理装置１０では、画像データの指定された位置にコメント内容の種類に応じた色彩のアイコンが配置される。そのため、１つの画像データ内に多くのコメントが付加された場合でもどのアイコンがどのようなコメント内容のものなのかを把握することが容易になる。
【０１１０】
このように複数のアイコンが１つのデザイン画像中に追加された場合の表示画面例を図２０に示す。なお、図２０に示す表示画面例では、追加されたアイコンを見易くするために、デザイン画像については表示させずに省略している。
【０１１１】
図２０では、アイコン１０１〜１０３という３つのアイコンがデザイン画像中に付加された場合が示されている。図２０を参照すると、アイコン１０１は形状が大きく表示されており、重要度が高く設定されていることが分かる。
【０１１２】
また、アイコン１０２は、点滅して表示されていることによりコメント内容が未読であることが分かるようになっている。また、アイコン１０２には、コメントの種類を示す「イラスト」という文字とともに「２」という数字が表示されていることにより、設定されているコメント数が２であることが分かるようになっている。
【０１１３】
また、アイコン１０３については、コメント数が４であり、「色」に関するコメントが設定されているのが分かるように表示されている。
【０１１４】
このように本実施形態によれば、ユーザは、アイコンの色彩や大きさの違いによりコメント内容の種類や重要度を把握することができる。また、ユーザは、アイコンが点滅していることにより、そのアイコンのコメント内容が未読であることや表示させる数字により設定されているコメント数を把握することができる。
【０１１５】
[変形例]
上記実施形態では、コメント種類選択部３３は、キーワード格納部３２に格納されているキーワードが入力部３１により入力されたコメントに含まれているか否かに基づいてコメントの種類を選択する場合について説明したが、本発明はこのような構成に限定されるものではない。例えば、コメント種類選択部３３は、入力部３１により入力されたコメントに対して自然言語解析を実行することにより、そのコメントの意味内容を解析して、コメントの種類を選択するようにすることも可能である。
【符号の説明】
【０１１６】
１０    情報処理装置
１１    ＣＰＵ
１２    メモリ
１３    記憶装置
１４    通信インタフェース（ＩＦ）
１５    ユーザインタフェース（ＵＩ）装置
１６    制御バス
２０    ネットワーク
３１    入力部
３２    キーワード格納部
３３    コメント種類選択部
３４    アイコン生成部
３５    アイコン付加部
３６    制御部
３７    通信部
３８    表示部
８０    コメント入力枠
９０    コメント表示枠
９１    追加選択アイコン
９２    添付ファイルアイコン
９３    コメント返信アイコン
９４    コメント表示枠
９５    コメント返信アイコン
９６    コメント表示枠
１００〜１０３    アイコン（絵柄図形）
【図１】
0006687878.tif 000002
【図２】
0006687878.tif 000003
【図３】
0006687878.tif 000004
【図４】
0006687878.tif 000005
【図５】
0006687878.tif 000006
【図６】
0006687878.tif 000007
【図７】
0006687878.tif 000008
【図８】
0006687878.tif 000009
【図９】
0006687878.tif 000010
【図１０】
0006687878.tif 000011
【図１１】
0006687878.tif 000012
【図１２】
0006687878.tif 000013
【図１３】
0006687878.tif 000014
【図１４】
0006687878.tif 000015
【図１５】
0006687878.tif 000016
【図１６】
0006687878.tif 000017
【図１７】
0006687878.tif 000018
【図１８】
0006687878.tif 000019
【図１９】
0006687878.tif 000020
【図２０】
0006687878.tif 000021